(57)【特許請求の範囲】
【請求項１】
予め定められた周波数を持つ交流信号を発生させる交流信号生成手段と、
所望の波形を有する信号を生成するために必要とされる前記交流信号の実効値と等しい振幅を持つ直流信号を発生させる直流信号生成手段と、
前記交流信号が発生するジュール熱の大きさが、前記直流信号が発生するジュール熱の大きさと等しくなるように、前記交流信号の実効値を校正する交流信号校正手段と、
前記交流信号校正手段で校正された前記交流信号、又は前記交流信号校正手段で校正された周波数の異なる前記交流信号を合成することにより得られた合成信号を出力する出力手段とを備えた高精度任意波形信号発生装置。
【請求項２】
前記直流信号生成手段は、直列接続された超伝導ジョセフソン素子により構成される請求項１に記載の高精度任意波形信号発生装置。
【発明の詳細な説明】
【技術分野】
【０００１】
本発明は、実用上校正を不要にする高精度任意波形信号発生装置に関する。
【背景技術】
【０００２】
（高精度信号発生装置）
高精度信号発生装置というと、その多くは高度なアナログ回路設計によって、高精度な直流電圧あるいは交流電圧を出力する装置であり、デジタルマルチメータ、シンセサイザ、オシロスコープなどを校正する目的で使用されている。
【０００３】
一方、デジタル技術の進歩によって、高精度信号発生装置（特許文献１、２参照）はデジタル化の傾向に進み始め、精度的にはアナログ回路設計には多少劣るものの、任意波形信号出力、参照クロックＩ／Ｏ、位相設定などの多機能仕様が可能であり、これらの機能によってデジタルマルチメータ、シンセサイザ、オシロスコープの校正以外に、パワーアナライザ、オーディオアナライザ（低周波スペクトルアナライザ、低周波ＦＦＴアナライザ）のような測定器の校正・評価が可能となった。
このような高精度任意波形信号発生装置は、デジタル技術の進歩により、今後ますます精度が向上し、アナログ回路設計による装置に置き換わることが予想される。図４は、従来の高精度任意波形信号発生装置の構成図である。
【０００４】
図４の高精度任意波形信号発生装置１００は、基準クロック１０１、メモリ１０２、マイクロプロセッサ１０３、デジタル／アナログ変換器１０４、周辺アナログ回路１０５（オフセット調整回路・フィルター回路・アンプ回路）、ＤＣ基準１０６から構成されている。
メモリ１０２には、時系列に、種々の値の異なるデジタルデータ（例えば、サイン波の場合、サイン波をサンプリング間隔で量子化した階段状の疑似サイン波形Ａのデータ）を記憶したテーブルが収納されている。
【０００５】
マイクロプロセッサ１０３は、基準クロック１０１からのクロック信号に基づき、メモリ１０２から任意に選択したデジタルデータを読み出し、デジタル／アナログ変換器１０４へ出力する。
デジタル／アナログ変換器１０４は、デジタルデータを基に、ＤＣ基準１０６の基準電圧値に応じた振幅の階段状の疑似サイン波形Ａの信号を作成し、出力する。
周辺アナログ回路１０５は、デジタル／アナログ変換器１０４からの波形Ａの信号を、ＤＣ基準１０６の基準電圧を利用したオフセット調整およびローパスフィルタを通してギザギザをなだらかにしてサイン波に近似した波形Ｂを出力する。
【０００６】
このように、従来装置では、デジタル回路部においてダイレクト・デジタル・シンセサイズ（ＤＤＳ）方式を使い、サイン波形の場合、階段状の疑似サイン波形Ａを生成し、その疑似波形をローパスフィルタで階段部分を取り除き、電圧増幅回路で低インピーダンス出力を行ってサイン波形Ｂとしている。このサイン波形Ｂは、交流電圧標準として用いられる。
このように出力される交流電圧標準は、従来装置内部のアナログ回路において温度変化やノイズに対するオフセット自動補正を行っている場合が多い。しかしながら、このような補正方法では、原理的に長期間の信頼性確保が困難であるため、結局のところ定期的な校正が必要となっている。
【０００７】
（交直変換標準とサーマルコンバータ）
交流電圧標準は周期的に変化している電圧の実効値を用いて定義されている。交流電圧標準を確立する主な手段として、理想的な正弦波を作る方法と、比較器(交直変換器)を介して、直流電圧（ジョセフソン電圧標準）と比較測定することによって導く方法が考えられている。現在最も精度良い方法は、熱型の交直変換器(サーマルコンバータ)を用いて、直流と交流電圧の電気エネルギーをジュール熱に変換し、それら実効値を比較測定する方法である。比較法に基づく標準体系は、
「交直変換標準」と呼ばれ、直流電圧から交流電圧への変換誤差に相当するものを交直差と呼んでいる。
【０００８】
交流電圧には、直流電圧と比較可能な交直変換器が必要で、それがサーマルコンバータである。サーマルコンバータは交流電圧も直流電圧も内部のヒーター抵抗で発生する熱で比較し、その熱は熱電対によって全て直流電圧として出力するため、いずれの場合も直流電圧として扱えるという利点がある。
サーマルコンバータとしては、従来のヒーターと熱電対からなる単一熱電対型、薄膜多対熱電対型や、新型のポリイミドメンブレン（Polyimide membrane）型ヒーターの中空部に、窒化アルミニウム（ＡｌＮ）膜の筒体中に熱電対(Thermocouples)を配置したものを挿入配置した構造のもの（例えば、ＪＳＴＣ（独立行政法人産業技術総合研究所製））、更には、ヒーター薄膜と熱電対膜をポリイミドフィルムの異なる面に分離した構造のものが提示されている。
【先行技術文献】
【特許文献】
【０００９】
【特許文献１】米国特許第５０１２１８１号明細書
【特許文献２】米国特許第４５４１０６５号明細書
【発明の概要】
【発明が解決しようとする課題】
【００１０】
上記のような高精度信号発生装置の動作方式は、ＤＤＳ方式のデジタル回路および周辺アナログ回路の厳密な最適設計によってある程度の高精度化が可能となる。しかしながら、このような動作原理では、高精度化は可能であっても、精度を保証することは不可能である。高精度信号発生装置として使用されるためには、装置自体の高精度設計だけでは十分ではなく、校正され精度が保証されていることが必要不可欠である。
【００１１】
通常、高精度任意波形信号発生装置を校正するためには、高額な校正手数料を支払い、認定を受けた校正事業所に装置を輸送し、数週間かけて校正試験を受ける必要がある。しかも、この校正は通常１年毎に受ける必要があり、校正費用がかかるばかりか、校正期間中は装置が持ち出されているために使用できなくなる。
本発明の目的は、このような実用上の校正を不要にする高精度任意波形信号発生装置を提供することである。
【課題を解決するための手段】
【００１２】
本発明は、上記の目的を達成するために、以下のような手段を採用する。
本発明の高精度任意波形信号発生装置では、校正不要な誤差補正システムを装備する。その誤差補正システムは、長期安定性が保証されている直流電圧発生装置（例えば、ジョセフソン電圧発生装置）を利用することで、校正不要な電圧参照信号として利用し、本装置内の信号発生装置から出力される信号を、サーマルコンバータを代表とする、長期安定であり、実質的に再校正不要な比較装置を使用して比較することで誤差を検出し、信号発生装置を補正する。このような構造をとることで、信号発生装置は常に精度が保証された信号が出力可能となる。
【００１３】
特に、高精度任意波形信号発生装置は、直流電圧信号を基準信号として、この直流電圧信号と任意にパラメータを設定して作成した交流電圧信号とを、サーマルコンバータで熱比較し、その熱をそれぞれ熱電変換した直流出力Ｅｄｃ、Ｅａｃとして出力し、エラー解析装置で前記直流出力Ｅｄｃ、Ｅａｃを比較して前記交流電圧信号の誤差を求め、任意波形信号発生装置で前記交流電圧信号の実効値と前記誤差の差に基づいて前記交流電圧信号をデジタル補正する。
【発明の効果】
【００１４】
上記のように従来技術またはその応用技術では、どれだけ高精度化を進めても、長期間にわたる精度保証は困難である。ユーザー側は、高価な高精度任意波形信号発生装置の精度維持のために外部校正依頼による業務負担、校正料負担を強いられるとともに、校正依頼期間中には装置が使用できない空白期間が生じることとなる。
【００１５】
本発明の高精度任意波形信号発生装置では、校正不要な誤差補正原理に従うことで、従来の高精度任意波形信号発生装置には不可能であった校正不要の装置として実現可能であり、上記のようなユーザーへの負担問題が一掃され、評価業務や試験・検査などの品質維持が容易となる。
【図面の簡単な説明】
【００１６】
【図１】本発明の高精度任意波形信号発生装置の構成図である。
【図２】本発明の高精度任意波形信号発生装置のフローチャートである。
【図３】本発明の高精度任意波形信号発生装置のブロック構成図である。
【図４】従来の高精度任意信号発生装置の構成図である。
【発明を実施するための形態】
【００１７】
本発明の高精度任意波形信号発生装置の実施の形態を図に基づいて詳細に説明する。
基本的には、高精度任意波形信号発生装置は、直流電圧信号を基準信号として、この直流電圧信号と任意にパラメータを設定して作成した交流電圧信号とを、サーマルコンバータで熱比較し、その熱をそれぞれ熱電変換した直流出力Ｅｄｃ、Ｅａｃとして出力し、エラー解析装置で前記直流出力Ｅｄｃ、Ｅａｃを比較して前記交流電圧信号の誤差を求め、任意波形信号発生装置で前記交流電圧信号の実効値と前記誤差の差に基づいて前記交流電圧信号をデジタル補正する。
【実施例】
【００１８】
本発明は、高精度任意波形信号発生装置内に以下に示すような誤差補正方法を実行できる手段を採用した点に特徴を有する。
図１に本発明の高精度任意波形信号発生装置の実施例を示す。図１（ａ）は本発明の高精度任意波形信号発生装置のブロック構成図である。図１（ｂ）はジョセフソン電圧標準２の模式的な構成図である。図１（ｃ）は、サーマルコンバータ４の模式的な構成図である。図１（ａ）の実線は処理対象の信号の処理経路を示す。図１（ａ）の点線は、制御装置７と、その他のジョセフソン電圧標準装置２、スイッチ３、サーマルコンバータ４、エラー解析装置５、および任意波形信号発生装置（シンセサイザ）６との間の制御信号の経路を示す。図３の任意波形信号発生装置６には、点線表示のエラー解析装置５およびジョセフソン電圧標準装置２は含まれない。
【００１９】
図１（ａ）に示す高精度任意波形信号発生装置１は、
ジョセフソン電圧標準装置２と、
スイッチ３と、
サーマルコンバータ４と、
エラー解析装置５と、
任意波形信号発生装置（シンセサイザ）６と、
制御装置７を、図示のように配線して構成される。
【００２０】
ジョセフソン電圧標準装置２は、図１（ｂ）に示すように、マイクロ波入力端子１３とマイクロ波終端抵抗１４との間に準平面導波路を構成する超伝導ジョセフソン素子１５を任意数個の接合ずつ直列に配置し、この超伝導ジョセフソン素子１５と並列にスイッチ１６を設けることで構成する。なお、各スイッチ１６は、制御装置７の制御信号により開閉操作される。必要な直流電圧値に応じて、超伝導ジョセフソン素子１５の接続個数を決定し、ＤＣ基準となる所望のＶｄｃ電圧を出力させる。このＶｄｃはスイッチ３に出力される。また、このＶｄｃは任意波形信号発生装置（シンセサイザ）６内のデジタル／アナログ変換器２４用またはアナログ周辺回路２５内のオフセット調整回路用のＤＣ基準信号として利用することが可能である。
【００２１】
超伝導ジョセフソン素子は、通常、２つの超伝導体により絶縁層等の薄い障壁層を挟んだ構造をとり、非線形で特殊な電気的特性を持ち、電圧標準をはじめとする種々の分野において広く研究がなされている。超伝導ジョセフソン素子に対してあらかじめマイクロ波を照射しておき、電流を流すと、素子の両端にはマイクロ波の周波数ｆによってのみ決まる電圧（Ｖ＝（ｈ／２ｅ）ｆ）が発生する。一方、電流を流さなければ、電圧はゼロとなる。マイクロ波周波数は非常に高精度に制御可能のため、得られる電圧も非常に高精度なものが得られる。
【００２２】
超伝導ジョセフソン素子１個あたりの電圧は数十μＶ程度であるため、目標の出力を得るためには数十万個もの超伝導ジョセフソン素子を直列に接続したアレー構造（バイナリアレー）として構成される。
マイクロ波をジョセフソン接合アレーの片方から供給し反対側の端に接続したマイクロ波終端抵抗１４ まで伝送し終端させる。バイナリアレーに直流バイアス電流をオンオフすることで、バイナリアレーを介したデジタル入力をアナログ出力電圧、すなわち、ＤＣ標準となるＤＣ電圧に変換する。
【００２３】
スイッチ３は、電子的又は機械的なスイッチであり、制御装置７の制御により、ジョセフソン電圧標準装置２の出力のＤＣ標準のＤＣ電圧Ｖｄｃと、任意波形信号発生装置（シンセサイザ）６の出力のＡＣ電圧Ｖａｃとを交互に切り替えてサーマルコンバータ４とエラー解析装置５へ出力する。高精度仕様にするためには、ジョセフソン電圧標準装置２から出力されるＤＣ電圧をスイッチ３内部の反転回路で反転して−ＤＣ電圧を生成し、サーマルコンバータ４に±ＤＣ電圧とＡＣ電圧の３入力信号を交互に切替制御する必要がある。
【００２４】
サーマルコンバータ４は、上記熱型の交直変換器であり、例えば、簡単な例では、図１（ｃ）に示すように、ヒーター１８と熱電対１９から構成される。
ジョセフソン電圧標準装置２のＤＣ標準出力の直流電圧Ｖｄｃと、任意波形信号発生装置（シンセサイザ）６の出力の交流電圧Ｖａｃとの電気エネルギーをジュール熱に変換し、そのジュール熱を熱電対の出力Ｅａｃ、Ｅｄｃとして出力し、それらの直流電圧Ｖｄｃと交流電圧Ｖａｃの実効値を比較測定する。出力ＥａｃとＥｄｃは、エラー解析装置５へ出力する。
【００２５】
サーマルコンバータ４は、例えば、線路のインダクタンスＬと抵抗Ｒの直列接続と容量Ｃを接続点Ｐで並列に接続し、その接続点Ｐにヒーター抵抗を直列に接続した回路構成と見ることができ、そのヒーター抵抗の発生するジュール熱を熱電対出力として検出する。
サーマルコンバータ４固有の交直差は、ヒーター線の温度分布の不均一、熱リップル、浮遊容量やインダクタンスに起因するもの、表皮効果等により発生する。この固有の交直差δkの変動は非常に小さく無視できるため、１回校正すれば長期間校正を必要としない。校正された交直差δkは交流電圧Ｖａｃの補正に利用される。
【００２６】
エラー解析装置５は、少なくとも演算機能を有し、サーマルコンバータ４の出力Ｅｄｃと出力Ｅａｃを計測し、その差分および交直差δkから交流実効値の相対誤差αkを誤差信号として任意波形信号発生装置６へ出力する。誤差αkは以下に示す式で算出される。
【数１】
0005454913.tif 000002
ここで、nは交流電圧に対するサーマルコンバータ出力の勾配を示す。
【００２７】
この交直差δは、以下のように定義できる。
理想的なサーマルコンバータは、直流電圧Ｖｄｃを入力した場合の出力Ｅｄｃと、交流電圧の実効値Ｖａｃを入力した場合の出力Ｅａｃが等しい場合、Ｖａｃ＝Ｖｄｃであるが、実際のサーマルコンバータでは等しくならず、ズレ（交直差）を生じる。交直差は以下の式で定義する。
【数２】
0005454913.tif 000003
【００２８】
ここで、直流電圧は±ＤＣ電圧として扱うため、それぞれの平均値
【数３】
0005454913.tif 000004
となる。
【００２９】
ここで交直差周波数特性は、例えば、使用周波数の範囲が１０Ｈｚ−１ＭＨｚとしたとき、従来の前記単一熱電対型の場合には〜３０ｐｐｍ、従来の前記薄膜多対熱電対型の場合には〜５０ｐｐｍ、前記ＪＳＴＣの場合には〜２０ｐｐｍとなる。
【００３０】
（デジタル補正処理）
任意波形信号発生装置（シンセサイザ）６は、図３において、マイクロプロセッサ２３により、エラー解析装置５からの誤差検出信号αkを取り込み、メモリ２２にテーブル形式で記憶する。
【００３１】
また、メモリ２２には、時系列に、種々の値の異なるデジタルデータ（例えば、サイン波の場合、サイン波をサンプリング間隔で量子化した階段状の疑似サイン波形Ａ１のデータ）を記憶したテーブル（サインテーブル）が収納されている。
【００３２】
取り込んだ誤差検出信号によりマイクロプロセッサ２３はサインテーブルを補正計算しメモリ２２に記憶する。
また、任意波形信号発生装置（シンセサイザ）６は、制御装置７との間で、いずれか一方が、装置１の動作開始に先立って、予め、ＡＣ電圧の任意波形信号のために必要なパラメータ、例えば、周波数Ｆ１、Ｆ２、・・・Ｆｎ、電圧の実効値Ａ１、Ａ２、・・・Ａｎ、等をテーブルに記憶する。
【００３３】
マイクロプロセッサ２３は、基本的に、基準クロック２１からのクロック信号に基づき、メモリ２２から読み出したデータおよび取り込んだデータを用いて必要な演算をする。
具体的には、メモリに格納されているサインテーブルのデジタルデータＶａｃ[i]を誤差検出信号αkを使って下記数４に代入して必要な演算を行い「補正デジタルデータＶａｃ_ｃｏｍｐ[i]」を求める。この補正計算は、Ａｋ（1−αｋ）と同義である。iはデジタルデータの順番を示すインデックスである。
【００３４】
【数４】
0005454913.tif 000005
【００３５】
デジタル／アナログ変換器２４は、「補正デジタルデータＶａｃ_ｃｏｍｐ[i]」の電圧値や実効値に応じた振幅や幅の階段状の疑似サイン波形Ａ１の信号を作成し、出力する。その階段状の疑似サイン波形Ａ１に応じた振幅や幅の電圧値や実効値は、例えば、メモリ２２にテーブルとして記憶しておくことも可能である。
周辺アナログ回路２５は、デジタル／アナログ変換器２４からの波形Ａ１の信号を、オフセット調整した後、ローパスフィルタを通してギザギザをなだらかにしてサイン波に近似した波形Ｂ１の信号、すなわちＶａｃを出力する。
【００３６】
このＶａｃを任意波形信号発生装置（シンセサイザ）６のＡＣ出力として出力する。
以下、同様にして、各周波数の信号を補正処理する。
【００３７】
制御装置７は、マイクロプロセッサからなる中央演算装置、メモリ、およびＩ／Ｏインターフェース等からなるコンピュータとして構成され、このコンピュータにより所定のプログラムを実行して、ジョセフソン電圧標準２、スイッチ３、サーマルコンバータ４、エラー解析装置５、および任意波形信号発生装置（シンセサイザ）６を以下に説明する手順又はフローチャートに従って制御する。
また、制御装置７は、装置１の動作開始に先立って、予め、ＡＣ電圧の任意波形信号のために必要なパラメータ、例えば、周波数Ｆ１、Ｆ２、・・・Ｆｎ、電圧の実効値Ａ１、Ａ２、・・・Ａｎ、等をテーブルに記憶する。
【００３８】
以上の構成要素からなる本発明の校正不要な標準直流電圧発生装置は、ジョセフソン電圧標準装置２を用い、また再校正不要な比較装置として長期安定なサーマルコンバータ４を使用することを特徴とする。
サーマルコンバータ４の性質は、直流電圧Ｖｄｃを入力した場合の出力信号Ｅｄｃと、交流電圧Ｖａｃ（実効値）を入力した場合の出力信号Ｅａｃが等しいならば、Ｖｄｃ＝Ｖａｃが成立することが知られている(実際は成立しないので、その誤差は予め校正によって求め、補正する)。このサーマルコンバータの特性を生かし、広い範囲の周波数帯域の交流信号が標準直流電圧で校正することが可能である。
【００３９】
図３の任意波形信号発生装置６は、基準クロック２１、メモリ２２、マイクロプロセッサ２３、デジタル／アナログ変換器２４、周辺アナログ回路２５、基準電源２６から構成されている。
メモリ２２には、上記のとおりの、時系列に、デジタルデータＶａｃ[i]（例えば、サイン波の場合、サイン波をサンプリング間隔で量子化した階段状の疑似サイン波形Ａ１のデータ）を記憶したテーブルも記憶されている。
【００４０】
マイクロプロセッサ２３は、基準クロック２１からのクロック信号に基づき、メモリ２２からデジタルデータＶａｃ[i]を読み出し、数４の式を満たす補正デジタルデータＶａｃ_ｃｏｍｐ[i]を求める。単サイン波形信号を出力する場合は、このままデジタル／アナログ変換器２４に出力されるが、複雑な波形の場合には、必要な周波数の補正デジタルデータを全て加算してからデジタル／アナログ変換器２４に出力される。
【００４１】
デジタル／アナログ変換器２４は、補正デジタルデータＶａｃ_ｃｏｍｐ[i]を読み出し、波形Ａ１の信号を出力する。
周辺アナログ回路２５は、デジタル／アナログ変換器２４からの波形Ａ１の信号を、オフセット調整した後、ローパスフィルタを通してギザギザをなだらかにしてサイン波に近似した波形Ｂ１を出力する。
【００４２】
図２に図１および図３のブロック図の制御手順を、フローチャートとして以下に説明する。
制御装置７は、以下の手順およびフローチャートの手順を装置内のコンピュータ（図示省略）により実行させる所定のプログラムを有する。
【００４３】
制御装置７は、内蔵の所定のプログラムを実行させ、
まず、設定パラメータとして、ジョセフソン電圧標準装置２において任意のＤＣ基準（Ｖｄｃ）を設定し、このＶｄｃを出力させ、任意波形信号発生装置６において任意の信号ＡＣを設定し、このＶａｃを出力する。
設定パラメータとして、直流波形あるいは単サイン波形の場合は単に直流電圧の設定あるいは１組の周波数と実効値を設定するが、多数の周波数を含む歪み波形を発生させる場合には、複数の周波数と実効値を設定する必要がある。パラメータ設定後、本装置内で各周波数における交流信号の誤差補正が始まる。以下に誤差補正の手順の流れを説明する。
【００４４】
任意波形信号発生装置６から設定された、ある一つの周波数Ｆｋ、実効値Ａｋの交流電圧Ｖａｃがスイッチ３に入力される。この実効値Ａｋの交流電圧Ｖａｃを校正するために、ジョセフソン電圧標準装置２では振幅値Ａｋの直流電圧Ｖｄｃを発生し、同様にスイッチ３に入力する。
【００４５】
スイッチ３では、入力された交流電圧Ｖａｃ又は直流電圧Ｖｄｃを交互に切替えて出力し、サーマルコンバータ４に入力する。高精度仕様にするためには、ジョセフソン電圧標準装置２から出力されるＤＣ電圧をスイッチ内部の反転回路で−ＤＣ電圧を生成し、サーマルコンバータに±ＤＣ電圧とＡＣ電圧の３入力信号を交互に切替制御する必要がある。
サーマルコンバータ４では、直流電圧、交流電圧の入力により発生する熱電対の各出力電圧Ｅｄｃ、Ｅａｃを出力し、エラー解析装置５に入力する。
【００４６】
エラー解析装置５では、Ｅｄｃ、Ｅａｃを測定・比較して得られる差分、予め校正されたサーマルコンバータの交直差δkおよび出力電圧の勾配nから、数１を満たす交流電圧（実効値）の相対誤差αｋを算出する。この誤差αｋのデータは任意波形信号発生装置６にフィードバックし、装置１の内部で数４を満たす誤差補正Ａｋ（1−αｋ）が行われる。以上の誤差補正が、最初に設定された周波数成分だけ行われ、最終的に、全ての周波数成分が誤差補正され、合成された歪み波が出力される。
【００４７】
（フローチャート）
スタート
１）任意波形信号発生装置６において、任意波形信号のパラメータの設定を行う（ステップＳ１）。パラメータは、（周波数：Ｆ１、Ｆ２、・・Ｆｋ・・Ｆｎ、実効値：Ａ１、Ａ２、・・Ａｋ・・Ａｎ）等。
２）任意波形信号発生装置６において、ｋ  ←  １を行う（ステップＳ２）。
３）任意波形信号発生装置６において、周波数Ｆｋ、実効値ＡｋのＡＣ信号をスイッチ３に入力する（ステップＳ３）。
４）ジョセフソン電圧標準装置２において、ＤＣ電圧Ａｋをスイッチ３に入力する（ステップＳ４）。
５）スイッチ３において、ＤＣ電圧とＡＣ電圧が交互に切り替わり、サーマルコンバータ４に入力する（ステップＳ５）。
６）サーマルコンバータ４において、ＤＣ電圧、ＡＣ電圧を熱比較し、熱電対からそれぞれＥｄｃ、Ｅａｃを出力する（ステップＳ６）。
【００４８】
７）エラー解析装置５において、Ｅｄｃ、Ｅａｃを比較し、ＡＣ信号Ａｋの誤差αｋを算出する（ステップＳ７）。
８）任意波形信号発生装置６において、数４を満たすデジタル補正処理Ａｋ（1−αｋ）を行う（ステップＳ８）。
９）ｋ＝ｎか否か判断する（ステップＳ９）
１０）ステップＳ９において、Ｋ＝ｎのとき、任意波形信号発生装置６において、全ての周波数信号を含む合成波を出力する（ステップ１０）。
１１）ステップＳ９において、Ｋ＝ｎでないとき、ｋ←ｋ＋１の代入を行って、Ｓ３へ進む（ステップ１１）。
エンド
【００４９】
上記フローチャートは、本発明の標準直流電圧発生装置１のコンピュータによる処理手順を表し、該装置の各部品の基本機能に裏付けされ、一連の手順に技術的意義を有する。
制御装置７の実行する上記フローチャートの手順は、装置内のコンピュータ（図示省略）により実行させるプログラムを構成し、このプログラムを記録媒体に記憶することもできる。
【符号の説明】
【００５０】
１    高精度任意波形信号発生装置
２    ジョセフソン電圧標準装置
３    スイッチ
４    サーマルコンバータ
５    エラー解析装置
６    任意波形信号発生装置（シンセサイザ）
７    制御装置
【図１】
0005454913.tif 000006
【図２】
0005454913.tif 000007
【図３】
0005454913.tif 000008
【図４】
0005454913.tif 000009